(57)【要約】【課題】ルータ装置におけるＩＦ盤増設に伴い光ファイバケーブルの増設数を従来と比較して低減させる。【解決手段】ＩＦ盤の増設を行う際には、当該増設されるＩＦ盤に使用される波長を既設のＩＦ盤に既に使用されている波長とは異なる波長とし、ＩＦ盤の前段で光の合波または分波を行い、光ファイバケーブルには波長多重された光信号を伝送する。【選択図】　図１
2004007184.tif 000002
【特許請求の範囲】
【請求項１】
対向するルータ装置と、このルータ装置間に敷設された光ファイバケーブルと、前記ルータ装置にそれぞれ設置されこの光ファイバケーブルをそれぞれ収容するインタフェース盤とを備えた光通信網に適用される光通信網の構成方法において、
前記インタフェース盤の増設を行う際には、当該増設されるインタフェース盤に使用される波長を既設のインタフェース盤に既に使用されている波長とは異なる波長とし、前記インタフェース盤の前段で光の合波または分波を行い、前記光ファイバケーブルには波長多重された光信号が伝送される
ことを特徴とする光通信網の構成方法。
【請求項２】
前記光の合波または分波を行う際に、これに用いる光の合波または分波手段が波長に応じて損失量が異なるときには、前記インタフェース盤に入出力される光の減衰量を調整して新設および既設の前記インタフェース盤相互間で光の伝送に伴い発生する波長に依存した光の損失量を整合させる請求項１記載の光通信網の構成方法。
【請求項３】
前記光の合波または分波を行う際に、これに用いる光の合波または分波手段が波長に応じて損失量が異なるときには、この損失差を利用して新設および既設の前記インタフェース盤で光の伝送に伴い発生する波長に依存したそれぞれ異なる光の損失量に適合するインタフェース盤をそれぞれ用いる請求項１記載の光通信網の構成方法。
【発明の詳細な説明】
【０００１】
【発明の属する技術分野】
本構成法は、光通信分野に利用される。特に、光ファイバを媒体としルータ接続を行うＬＡＮ系、ＷＡＮ系へのシステム構築に対し効率的かつ安定的なネットワークが実現できる。
【０００２】
【従来の技術】
ルータ装置を光ファイバケーブルでつないだシステム構成を図３を参照して説明する。図３は従来のルータ装置間の光ファイバケーブル敷設状況を示す図である。図３では、ビル１の１．３μｍインタフェース（以下、ＩＦと記す）盤５と、ビル２の１．３μｍＩＦ盤７との間でλ１およびλ３の２心の光ファイバケーブル４９で送信および受信を対向で接続している。
【０００３】
このようなシステム構成で、ＩＦ盤４６および４８の増設を行うと、このＩＦ盤４６および４８の増設に伴い、２心の光ファイバケーブル５０の増設が必要になる。すなわち、このようなシステム増設に際し、ビル１の１．３μｍＩＦ盤４６と、ビル２の１．３μｍＩＦ盤４８との間でλ２およびλ４の２心の光ファイバケーブル５０で送信および受信を対向で接続する。
【０００４】
【発明が解決しようとする課題】
このように従来は、ルータ装置にＩＦ盤が増設される毎に、光ファイバケーブルの増設も必要となり、その敷設に大きな手間と費用を要した。
【０００５】
本発明は、このような背景に行われたものであって、ルータ装置におけるＩＦ盤増設に伴い光ファイバケーブルの増設数を従来と比較して低減させることができる光通信網の構成方法を提供することを目的とする。
【０００６】
【課題を解決するための手段】
本発明は、異なった使用波長帯のＩＦ盤を組み合わせ、光の合波または分波を行い、伝送媒体である光ファイバケーブルには波長多重された光信号が伝送されるようにすることにより、光ファイバケーブルの敷設数を従来と比べて低減することを特徴とする。
【０００７】
すなわち、本発明は、対向するルータ装置と、このルータ装置間に敷設された光ファイバケーブルと、前記ルータ装置にそれぞれ設置されこの光ファイバケーブルをそれぞれ収容するＩＦ盤とを備えた光通信網に適用される光通信網の構成方法である。
【０００８】
ここで、本発明の特徴とするところは、前記ＩＦ盤の増設を行う際には、当該増設されるＩＦ盤に使用される波長を既設のＩＦ盤に既に使用されている波長とは異なる波長とし、前記ＩＦ盤の前段で光の合波または分波を行い、前記光ファイバケーブルには波長多重された光信号が伝送されるところにある。
【０００９】
このように、光ファイバケーブルには、複数のＩＦ盤による複数の波長多重された光信号が伝送されるため、光ファイバケーブルの本数よりも多くの対向するＩＦ盤相互間の光伝送路を構成することができる。これにより、ルータ装置におけるＩＦ盤増設に伴い光ファイバケーブルの増設数を従来と比較して低減させることができる。
【００１０】
また、前記光の合波または分波を行う際に、これに用いる光の合波または分波手段が波長に応じて損失量が異なるときには、前記ＩＦ盤に入出力される光の減衰量を調整して新設および既設の前記ＩＦ盤相互間で光の伝送に伴い発生する波長に依存した光の損失量を整合させることにより、既設のＩＦ盤と同仕様のＩＦ盤を増設することができる。
【００１１】
あるいは、前記光の合波または分波を行う際に、これに用いる光の合波または分波手段が波長に応じて損失量が異なるときには、この損失差を利用して新設および既設の前記ＩＦ盤で光の伝送に伴い発生する波長に依存したそれぞれ異なる光の損失量に適合するＩＦ盤をそれぞれ用いることにより、既設のＩＦ盤とは異なる仕様のＩＦ盤を増設することができる。
【００１２】
【発明の実施の形態】
本発明実施例の光通信網の構成方法を図１および図２を参照して説明する。図１は本実施例の光通信網の構成方法に基づき構成された光通信システムの概念図である。図２は本実施例の光通信網の構成方法に基づき構成された光通信システムにおけるＩＦ盤増設状況を示す図である。
【００１３】
本実施例は、図１に示すように、対向するルータ装置３および４と、このルータ装置３および４の間に敷設された光ファイバケーブル１１および１２と、ルータ装置３および４にそれぞれ設置されこの光ファイバケーブル１１および１２をそれぞれ収容するＩＦ盤９および１０とを備えた光通信網に適用される光通信網の構成方法である。
【００１４】
ここで、本発明の特徴とするところは、図２に示すように、ＩＦ盤６および８の増設を行う際には、当該増設されるＩＦ盤６および８に使用される波長を既設のＩＦ盤に既に使用されている波長とは異なる波長とし、ＩＦ盤６、８、９、１０の前段で光の合波または分波を行い、光ファイバケーブル１１および１２には波長多重された光信号が伝送されるところにある。
【００１５】
以下では、本実施例の光通信網の構成方法を具体例を挙げて詳細に説明する。
【００１６】
図１および図２に示すように、ビル１およびビル２にバンドパス型フィルタ内蔵のカプラ１３〜１６を設置し、波長１．３μｍＩＦ盤９および１０と、波長１．５μｍＩＦ盤６および８とをそれぞれ一つのルータ装置３および４に搭載し、カプラ１３〜１６による光の合波または分波により使用する光ファイバケーブル数を低減する。
【００１７】
図２では、バンドパス型フィルタ内蔵のカプラ１３〜１６を挿入することにより通過光と反射光との損失の違いを統合し、ビル１に送信用のカプラ１３と受信用のカプラ１４とを設置し、送信用のカプラ１３ではバンドパス型フィルタ３０により、１．３μｍＩＦ盤９の送信部２０の波長と１．５μｍＩＦ盤６の送信部２２の波長λ１およびλ２を合波する。
【００１８】
また、ビル１の受信用のカプラ１４ではビル２からのλ３およびλ４の波長をバンドパス型フィルタ３１で分波し、１．３μｍＩＦ盤９の受信部２１と１．５μｍＩＦ盤６の受信部２３に接続する。
【００１９】
ビル２に受信用のカプラ１５および送信用のカプラ１６を設置し、受信用のカプラ１５ではバンドパス型フィルタ３２により、１．３μｍＩＦ盤１０の受信部２４と、１．５μｍＩＦ盤８の受信部２６にビル１からの波長λ１およびλ２を分波する。また、ビル２の送信用のカプラ１６では、バンドパス型フィルタ３３で１．３μｍＩＦ盤１０の送信部２５と１．５μｍＩＦ盤８の送信部２７のλ３およびλ４の波長を合波し、光ファイバケーブル１２でビル１のルータ装置３と接続する。
【００２０】
（第一実施例）
第一実施例を図１および図２を参照して説明する。カプラ１３〜１６では、それぞれバンドパス型フィルタ３０〜３３を備えており、このバンドパス型フィルタ３０〜３３は、波長１．３μｍの光を反射させ、波長１．５μｍの光を透過させる。このときに、反射させる場合と比較すると透過させる場合の方が光の損失が大きくなる。そこで、第一実施例は、ＩＦ盤９および１０と、ＩＦ盤６および８とをほとんど同じ条件で使用する場合の実施例であり、ＩＦ盤６および８の送信部２２および２７の送信パワーをＩＦ盤９および１０の送信部２０および２５の送信パワーよりも高くする。あるいは、ＩＦ盤６および８の受信部２３および２６の受信感度をＩＦ盤９および１０の受信部２１および２４の受信感度よりも高くする。その反対に、ＩＦ盤９および１０の送信部２０および２５の送信パワーをＩＦ盤６および８の送信部２２および２７の送信パワーよりも低くする。あるいは、ＩＦ盤９および１０の受信部２１および２４の受信感度をＩＦ盤６および８の受信部２３および２６の受信感度よりも低くすることにより、各ＩＦ盤６、８、９、１０をほとんど同じ条件で使用することができる。
【００２１】
すなわち、図１に示すように、ビル１および２には波長を合分波するカプラ１３〜１６を設置する。ルータ３および４には、１．３μｍＩＦ盤９および１０によりビル１および２の間を接続する。このとき、波長を分波または合波するカプラ１３および１５のバンドパス型フィルタ３０〜３３で使用波長を反射させ伝送する。
【００２２】
図２にシステム増設する場合の構成を示す。ビル１および２には波長を合波するカプラ１３〜１６を設置する。ルータ３および４には１．３μｍＩＦ盤９および１０、１．５μｍＩＦ盤６および８でビル１および２の間を接続する。このとき、波長を分波または合波するカプラ１３〜１６のバンドパス型フィルタ３０〜３３で使用波長を反射または透過させて送受信パワーの異なるＩＦ盤での伝送損失をあわせ伝送を可能にすることにより、伝送媒体である使用光ファイバを４心から２心への軽減が図られる。
【００２３】
また、図１の段階で事前にカプラ１３〜１６を挿入することにより、システム増設の際に既設システムへの影響を与えない。
【００２４】
（第二実施例）
第二実施例を図２を参照して説明する。カプラ１３〜１６では、それぞれバンドパス型フィルタ３０〜３３を備えており、このバンドパス型フィルタ３０〜３３は、波長１．３μｍの光を反射させ、波長１．５μｍの光を透過させる。このときに、反射させる場合と比較すると透過させる場合の方が光の損失が大きくなる。そこで、第二実施例は、この損失の差を積極的に利用し、ＩＦ盤９および１０と、ＩＦ盤６および８とを異種のＩＦ盤として使用する場合の実施例である。例えば、ＩＦ盤９および１０の受信部２１および２４では、自己が受信を希望する波長１．３μｍの光信号よりも強度の低い光信号は受信しないようにフィルタリングすることにより、ＩＦ盤６および８の通信に用いる波長１．５μｍの光信号の干渉を排除することができる。
【００２５】
すなわち、図２に示すように、構成としては、ビル間を結ぶ光ファイバを介してルータ装置が設置されている。ビル１および２の間を光ファイバケーブル１１および１２の２心を使って、ルータ３および４が送受信を行っている。
【００２６】
ビル１に送信用のカプラ１３および受信用のカプラ１４を設置し、送信用のカプラ１３ではバンドパス型フィルタ３０により、１．３μｍＩＦ盤９の送信部２０の波長と１．５μｍＩＦ盤６の送信部２２の波長λ１およびλ２を合波する。また、ビル１の受信用のカプラ１４ではビル２からのλ３およびλ４の波長をバンドパス型フィルタ３１により分波し、１．３μｍＩＦ盤９の受信部２１と１．５μｍＩＦ盤６の受信部２３に接続する。
【００２７】
ビル２に受信用のカプラ１５および送信用のカプラ１６を設置し、受信用のカプラ１５ではバンドパス型フィルタ３２により、１．３μｍＩＦ盤１０の受信部２４の盤と１．５μｍＩＦ盤８の受信部２６にビル１からの波長λ１およびλ２を分波する。また、ビル２の送信用のカプラ１６では、バンドパス型フィルタ３３で１．３μｍＩＦ盤１０の送信部２５と１．５μｍＩＦ盤８の送信部２７のλ３およびλ４の波長を合波し、光ファイバケーブル１２でビル１のルータ装置３と接続する。
【００２８】
バンドパス型フィルタで波長を通過（損失大）と反射（損失小）させることでの損失の違いを利用し、異種ＩＦ盤での波長単位での運用を可能とし、光ファイバケーブルを４心から２心へ減少させることができる。
【００２９】
なお、ＩＦ盤の増設（システム増設）に際し、カプラを挿入することによる波長単位での接続を行うことにより、既設システムへの影響を与えない。
【００３０】
【発明の効果】
以上説明したように、本発明によれば、ルータ装置におけるＩＦ盤増設に伴い光ファイバケーブルの増設数を従来と比較して低減させることができる。
【図面の簡単な説明】
【図１】本実施例の光通信網の構成方法に基づき構成された光通信システムの概念図。
【図２】本実施例の光通信網の構成方法に基づき構成された光通信システムにおけるＩＦ盤増設状況を示す図。
【図３】従来のルータ装置間の光ファイバケーブル敷設状況を示す図。
【符号の説明】
１、２　ビル
３、４　ルータ装置
５〜８、９、１０、４６、４８　ＩＦ盤
１１、１２、４９、５０　光ファイバケーブル
１３〜１６　カプラ
２０、２２、２５、２７　送信部
２１、２３、２４、２６　受信部
３０〜３３　バンドパス型フィルタ
【図１】
2004007184.tif 000003
【図２】
2004007184.tif 000004
【図３】
2004007184.tif 000005